(57)【要約】【課題】複数の時針を任意の時差を設けて表示可能とし、かつ分針により詳細な時刻を表示可能にした時計を提供する。【解決手段】盤面の外縁部に一周を１２分割に区切る主目盛２２と主目盛２２によって区切られた１時間を１５分間隔に区切る補助目盛２４とが設けられた第１の文字盤２０と、第１の文字盤２０の中心部に回転軸を有し、時刻を各々指示する第１の時針５２および第２の時針５４と、一周が１時間に対応させられると共に、一周を５分間隔に区切る目盛３２が設けられた第２の文字盤３０と、第２の文字盤３０の中心部に回転軸を有し、第１の時針５２および第２の時針５４のうちのいずれかが指示する時刻の分単位を指示する分針６０とを有する。【選択図】図１
2013253944.tif 000002
【特許請求の範囲】
【請求項１】
盤面の外縁部に一周を１２分割および２４分割のいずれかに区切る主目盛と当該主目盛によって区切られた１時間を１５分間隔に区切る補助目盛とが設けられた第１の文字盤と、
前記第１の文字盤の中心部に回転軸を有し、時刻を各々指示する複数本の時針と、
一周が１時間に対応させられると共に、当該一周を５分間隔に区切る目盛が設けられた第２の文字盤と、
前記第２の文字盤の中心部に回転軸を有し、前記複数本の時針のうちのいずれかが指示する時刻の分単位を指示する分針と、
を有することを特徴とする時計。
【請求項２】
前記第２の文字盤は、前記第１の文字盤内において偏心して配設されていることを特徴とする請求項１記載の時計。
【請求項３】
前記複数本の時針は、前記第１の文字盤内における指示位置を個別に変更可能であることを特徴とする請求項１または２記載の時計。
【請求項４】
前記複数本の時針は、互いを識別可能に形成されていることを特徴とする請求項１から３のいずれかに記載の時計。
【請求項５】
盤面の外縁部に一周を１２分割および２４分割のいずれかに区切る主目盛と当該主目盛によって区切られた１時間を１５分間隔に区切る補助目盛とが設けられた第１の文字盤と、
一周が１時間に対応させられると共に、当該一周を５分間隔に区切る目盛が設けられた第２の文字盤と、
を併有することを特徴とする時計用文字盤。
【請求項６】
前記第２の文字盤は、前記第１の文字盤内において偏心して配設されていることを特徴とする請求項５記載の時計用文字盤。
【発明の詳細な説明】
【技術分野】
【０００１】
本発明は、時計および時計用文字盤に関する。
【背景技術】
【０００２】
時計用文字盤や時計に関しては様々な構成が提案されている。このような時計用文字盤や時計においては、一台で複数地点における時刻を読み取ることができる時計の構造も知られている。このような時計としては、たとえば特許文献１に開示されているものが知られている。
特許文献１には、複数都市における時刻を同時に表示すべく、時差に応じて所定角度に突設された複数の指針を有する時針と分針を具備した世界時計の構成が開示されている。
【先行技術文献】
【特許文献】
【０００３】
【特許文献１】公開特許公報  特開平５−１７２９５４号公報
【発明の概要】
【発明が解決しようとする課題】
【０００４】
特許文献１に開示されている世界時計においては、予め特定の国や都市を選んで時差に応じた角度で指針が突設する時針を作成しておく必要があり、出張などで出かける国や都市に応じてフレキシブルに時刻を表示することができない。
また、指針の数が増えると、指針の中に分針が紛れ込んだ状態になってしまうため、分針が見つけにくくなり、短時間で時刻を読み取ることが困難になってしまうといった課題もある。
【０００５】
そこで本発明は、複数の時針を任意の時差を設けて表示可能とし、かつ分針により詳細な時刻を表示可能にした時計および時計用文字盤の提供を目的としている。
【課題を解決するための手段】
【０００６】
上記課題を解決するために本発明者は鋭意研究を行った結果、以下の構成に想到した。
具体的には、請求項１記載の時計は、盤面の外縁部に一周を１２分割および２４分割のいずれかに区切る主目盛と当該主目盛によって区切られた１時間を１５分間隔に区切る補助目盛とが設けられた第１の文字盤と、前記第１の文字盤の中心部に回転軸を有し、時刻を各々指示する複数本の時針と、一周が１時間に対応させられると共に、当該一周を５分間隔に区切る目盛が設けられた第２の文字盤と、前記第２の文字盤の中心部に回転軸を有し、前記複数本の時針のうちのいずれかが指示する時刻の分単位を指示する分針とを有することを特徴とする。
【０００７】
請求項２記載の時計は、請求項１記載の時計において、前記第２の文字盤は、前記第１の文字盤内において偏心して配設されていることを特徴とする。
【０００８】
請求項３記載の時計は、請求項１または２記載の時計において、前記複数本の時針は、前記第１の文字盤内における指示位置を個別に変更可能であることを特徴とする。
【０００９】
請求項４記載の時計は、請求項１から３のいずれかに記載の時計において、前記複数本の時針は、互いを識別可能に形成されていることを特徴とする。
【００１０】
請求項５記載の時計用文字盤は、盤面の外縁部に一周を１２分割および２４分割のいずれかに区切る主目盛と当該主目盛によって区切られた１時間を１５分間隔に区切る補助目盛とが設けられた第１の文字盤と、一周が１時間に対応させられると共に、当該一周を５分間隔に区切る目盛が設けられた第２の文字盤とを併有することを特徴とする。
【００１１】
請求項６記載の時計用文字盤は、請求項５記載の時計用文字盤において、前記第２の文字盤は、前記第１の文字盤内において偏心して配設されていることを特徴とする。
【発明の効果】
【００１２】
本発明にかかる構成を採用することにより、時針のみであってもおおよその時刻を短時間で読み取りすることができ、分針により詳細な時刻を読み取ることもできる。また、複数の時針が配設された場合であっても、それぞれの時針により指示された時刻を短時間で読み取ることができる時計および時計用文字盤の提供が可能になる。
【００１３】
具体的には、請求項１記載の時計によれば、盤面の外縁部に主目盛および補助目盛が設けられ、時針により大まかな時刻を表示することが可能な第１の文字盤と、第１の文字盤の中心部に回転軸を有し、第１の地点、および当該第１の地点と所定の時差を有する他の地点における時刻を各々指示可能な複数本の時針と、分針により時刻を分単位で表示することが可能な第２の文字盤と、第２の文字盤の中心部に回転軸を有し、いずれかの時針が指示する時刻の分単位を指示する分針とを有することにより、第１の文字盤および時針を見るだけで複数地点におけるおおよその時刻を短時間で読み取ることができ、第２の文字盤に視線を動かせば時刻を分単位で正確に読み取ることができる。
【００１４】
この場合、請求項２記載の時計によれば、第２の文字盤を、第１の文字盤内において偏心して配設したことにより、コンパクトな時計にすることができると共に、第２の文字盤に配設されている分針が第１の文字盤に配設されている各時針の読み取りの妨げとならないため、より簡単に時刻を読み取りすることができる。
【００１５】
また、請求項３記載の時計によれば、複数本の時針を、第１の地点、および第１の地点と所定の時差を有する他の地点における時刻に応じて、第１の文字盤内における指示位置を個別に変更可能に構成したことにより、任意の複数地点における時刻表示を適宜選択することができ利便性が格段に向上する。
【００１６】
さらに、請求項４記載の時計によれば、互いを識別可能に（他の時針と識別可能に）各時針を形成したことにより、時刻の読み間違えを防ぐことができ好都合である。
【００１７】
また、請求項５記載の時計用文字盤によれば、盤面の外縁部に主目盛および補助目盛が設けられ、時針により大まかな時刻を表示することが可能な第１の文字盤と、１時間を５分間隔に区切る目盛が設けられ分針により時刻を分単位で表示することが可能な第２の文字盤とを併有することにより、時刻を各々指示可能な複数本の時針を第１の文字盤に配設することで、第１の文字盤を見るだけで第１の地点と第１の地点と時差がある他の地点におけるおおよその時刻を読み取ることができ、第２の文字盤に分針を配設することで、第２の文字盤に視線を動かせば時刻を分単位で正確に読み取ることができる。
【００１８】
さらに、請求項６記載の時計用文字盤によれば、第２の文字盤を、第１の文字盤内において偏心して配設したことにより、コンパクトな文字盤にすることができると共に、第２の文字盤に配設されている分針が第１の文字盤に配設されている各時針の読み取りの妨げとならないため、より簡単に時刻を読み取りすることができる。
【図面の簡単な説明】
【００１９】
【図１】本実施形態にかかる時計１０（１０Ａ）の正面図である。
【図２】図１に示す時刻の３分後の時刻を指示した状態の時計１０（１０Ａ）の正面図である。
【発明を実施するための形態】
【００２０】
以下、本発明にかかる時計および時計用文字盤の実施形態について図面に基づいて具体的に説明する。なお、本実施形態においては、説明の便宜上、時計用文字盤を単に文字盤４０と称して説明を行っている。
図１に示すように、本実施形態にかかる時計１０は、「時計」の一例である置き時計型の時計であって、第１の文字盤２０、および第１の文字盤２０の内部に設けられて時刻のうち分の単位を表示する第２の文字盤３０を有する文字盤４０と、任意の２つの時刻（一例として、日本の時刻（第１の地点における時刻）、および日本の時刻と所定の時差を有する地点における時刻（他の地点における時刻））を表示する第１および第２の時針５２，５４と、第１および第２の時針が示す少なくとも一方における時刻（一例として、第１の時針５２が指示する時刻）を分単位で表示する分針６０と、脚１１とを有している。
【００２１】
第１の文字盤２０には、時刻を整数単位で示す主目盛２２（「一周を１２分割に区切る主目盛」の一例）と、主目盛２２の配設間隔を４等分する（主目盛によって区切られた１時間を１５毎に分割する）補助目盛２４とが盤面の外縁部に配設されている。なお、本例の時計１０とは相違するが、一周を２４分割に区切る「主目盛」を「第１の文字盤」における盤面の外縁部に設ける構成を採用することもできる（図示せず）。この場合、主目盛２２の近傍位置（第１の文字盤２０の外縁部）には、各時刻における時間の単位が整数表示されている。また、補助目盛２４には、各時刻における３０分を示す位置に『３０』の文字が付されている。
【００２２】
また、第１の文字盤２０には、各々時刻を指示する第１および第２の時針５２，５４が配設されている。この場合、第１および第２の時針５２，５４は、それぞれの一端部が第１の文字盤２０の中心位置において回転軸５６により軸着されている。この第１および第２の時針５２，５４は、いずれも通常の時計の短針（時針）と同じ動作をする。つまり、第１の文字盤２０の一周が１２個の主目盛２２によって１２分割に区切られているこの時計１０では、例えば、「１：００」のときには、第１の時針５２、または第２の時針５４が１２個の主目盛２２のうちの「１時」に対応する主目盛２２の部位を指示すると共に、その後に１分が経過する都度、第１の時針５２、または第２の時針５４が右回りに０．５度ずつ傾いて、「１：３０」のときには、第１の時針５２、または第２の時針５４が１２個の主目盛２２のうちの「１時」に対応する主目盛２２と「２時」に対応する主目盛との中間部位を指示する。この場合、第１および第２の時針５２，５４のムーブメントは、詳細には説明しないが、機械式やクォーツ式などの公知の構成を用いることができる。
【００２３】
また、本例の時計１０では、一例として、２本の時針５２，５４のうち、第１の時針５２は、第１の文字盤２０において日本の時刻を指示し、第２の時針５４は、第１の文字盤２０において日本の時刻と所定の時差を有する所望の地点における時刻を指示させることができる。また、図１，２に示すように、第１の時針５２と、第２の時針５４とは一瞥したのみで互いが識別可能となるように、第１の時針５２の色彩および形状のうちの少なくとも一方と第２の時針５４の色彩および形状のうちの少なくとも一方を異ならせておくことが好ましい。具体的には、本例の時計１０では、一例として、第１の時針５２および第２の時針５４を互いに識別可能とするために、形状が互いに等しく、かつ色彩が互いに相違するように両時針５２，５４を構成しているが、このような構成に代えて、色彩が互いに等しく、かつ形状が互いに相違するように両時針５２，５４を構成したり、色彩が互いに相違し、かつ形状も互いに相違するように両時針５２，５４を構成したりすることもできる。
【００２４】
第２の文字盤３０は、第１の文字盤２０の径寸法の半分以下の径寸法に形成されていて、第１の文字盤２０の下側領域内に（偏心して）設けられている。前述のとおり、第２の文字盤３０は時刻のうち分の単位を表示するためのものであり、本実施形態では、第２の文字盤３０の１周を１時間（６０分）に対応させると共に、５分毎に目盛３２（５分目盛：「１時間に対応させられた一周を５分間隔に区切る目盛」の一例）、および各目盛３２に対応する「分」を表す数字が設けられ、かつ、周方向で隣り合う目盛３２，３２の間を１分間隔で区切る目盛３３（１分目盛）が設けられている。この第２の文字盤３０に配設される分針６０は１本である。また、分針６０は、一端部が第２の文字盤３０の中心位置で回転軸６６により軸着されている。この分針６０は、通常の時計の長針（分針）と同じ動作をする。つまり、分針６０は、例えば、「１：００」のときには、１２個の目盛３２のうちの「０分（６０分）」に対応する目盛３２の部位を指示すると共に、その後に１分が経過する都度、右回りに６度ずつ傾いて、「１：０５」のときには、「５分」に対応する目盛３２の部位を指示する。この場合、分針６０のムーブメントも、第１および第２の時針５２，５４と同様に公知のムーブメントの構成を採用することができる。
【００２５】
このように、１時間を１５分毎に区切る補助目盛２４を付した第１の文字盤２０と、時刻のうち分の単位を示す第２の文字盤３０を設けた文字盤４０を有する時計１０の構成を採用することにより、第１の文字盤２０を見るだけで、おおよその時刻を分単位まで読み取ることができる。また、本実施形態においては、第１および第２の時針５２，５４を配設しているので、一台の時計１０で２地点の時刻を読み取ることもできるのである。具体的には、図１に示す例では、第１の時針５２が「１：４５」頃を指示し、第２の時針５４が「１０：００」頃を指示していると読み取ることができる。また、図２に示す例では、第１の時針５２が「１：４５」から数分が経過した時刻を指示し、第２の時針５４が「１０：００」から数分が経過した時刻を指示していると読み取ることができる。この場合、本例の時計１０では、一般的な時計とは異なり、第１および第２の時針５２，５４と同芯に分針を設けていない。このため、本例の時計１０は、複数の時針（この例では、第１および第２の時針５２，５４）を同芯に設けているにも拘わらず、分針が各時針の読み取りを妨げることがないため、各時針が指示する時刻を正確かつ容易に読み取ることが可能となっている。
【００２６】
また、時刻のうち分の単位を示す第２の文字盤３０も第１の文字盤２０の内部に設けているので、時計１０内でわずかに視線を動かせば時刻を分単位で正確に読み取ることも容易である。具体的には、分針６０が第１の時針５２の動作と同期させられている本例の時計１０によれば、図１に示す例では、分針６０が「４５分」を指示していると正確に読み取ることができ、図２に示す例では、分針６０がが「４８分」を指示していると正確に読み取ることができる。
【００２７】
本実施形態にかかる時計１０においては、第１の時針５２および第２の時針５４の互いの位置関係は、竜頭などの時刻調整手段（図示せず）により任意の位置関係に変更することができる。例えば、竜頭を当初位置から１回引っ張る（竜頭を１段階引き出す）と第２の時針５４を調整可能な状態となる。また、竜頭をもう一回引っ張る（当初位置から２回引っ張る：第２の時針５４を調整可能な状態から、さらに１段階引き出す）と第１の時針５２を調整可能な状態となる。なお、本実施形態における時計１０では、一例として、第１の時針５２の調整動作に同期させて分針６０を調整する構成が採用されている。具体的には、竜頭を当初位置から２段階引き出して第１の時針５２を調整可能な状態とすることで、第１の時針５２および分針６０の双方を調整することが可能となっている。このため、本例の時計１０では、分針６０のみを調整する機能を特に設ける必要はない。
このような時刻調整手段の構成により頻繁に設定時刻の変更を行う第２の時針５４のみを操作しやすくすることができ、第１の時針５２や分針６０を誤って操作してしまうおそれがないことも好都合である。
【００２８】
このように、第１の時針５２と第２の時針５４との位置関係は極めて簡単な操作により調整することが可能であるため、海外旅行においては、竜頭を１回のみ引っ張れば（１段階引き出せば）第２の時針５４の調整が可能となり、旅行先などにおいて、現地時刻を指示させる調整を簡単に行うことができる。このとき、第１の文字盤２０には、１５分間隔で補助目盛２４が設けられているから、第２の時針５４の時刻合わせをきわめて簡単に行うことができる。また、第２の時針５４の時刻合わせを行っているとき（竜頭を１段階引き出した状態のとき）には、日本の時刻を指示する第１の時針５２および分針６０は何ら操作されることにはならないため、第１の時針５２および分針６０が示す日本の時刻は正確な状態を維持することができる。
【００２９】
以上のように、本発明にかかる時計１０は、第１の文字盤２０および第２の文字盤３０により構成される文字盤４０を有していることで、第１および第２の時針５２，５４を読み取るだけでおおよその時刻を読み取ることができる。また、第１および第２の時針５２，５４が配設されていることで、一台の時計１０で２地点における時刻を同時に表示することができる点できわめて使い勝手が良い。また、第２の文字盤３０に視線を動かすだけで、時刻を分単位で正確に読み取ることもできる。
【００３０】
なお、本実施形態においては第１の文字盤２０の下半分の領域に第２の文字盤３０を第１の文字盤２０に対して偏心させた状態で配設したが、第２の文字盤３０は第１の文字盤２０内の他の位置に設けてもよい。
また、第２の文字盤３０は必ずしも第１の文字盤２０の内部に設けなくてもよく、第１の文字盤２０に隣接させ、第１の文字盤２０と第２の文字盤３０を並列に配置する構成を採用することもできる。
【００３１】
また、本実施形態においては、第１の文字盤２０に第１および第２の時針５２，５４を配設した形態について説明しているが、３本以上の時針５２，５４，・・・を配設した形態とすることももちろん可能である。
さらには、分針６０は第１の時針５２の動作と同期している形態について説明したが、分針６０を第２の時針５４の動作に同期させてもよいし、時刻調整手段により分針６０のみを調整する形態（第１の時針５２や第２の時針５４とは別個に分針６０を調整する形態）とすることもできる。
そして、図１，２にはいわゆる置き時計型の時計１０を示しているが、時計１０における脚１１の代わりにベルト１２を取り付けた時計１０Ａのように、腕時計型の形態にすることももちろん可能であるし、時計１０における脚１１や時計１０Ａにおけるベルト１２をなくして壁掛け型の時計（図示せず）とすることももちろん可能である。
【符号の説明】
【００３２】
１０，１０Ａ  時計
１１  脚
１２  ベルト
２０  第１の文字盤
２２  主目盛
２４  補助目盛
３０  第２の文字盤
３２，３３  目盛
４０  時計用文字盤
５２  第１の時針
５４  第２の時針
５６，６６  回転軸
６０  分針
【図１】
2013253944.tif 000003
【図２】
2013253944.tif 000004
【手続補正書】
【提出日】平成25年10月29日(2013.10.29)
【手続補正１】
【補正対象書類名】特許請求の範囲
【補正対象項目名】全文
【補正方法】変更
【補正の内容】
【特許請求の範囲】
【請求項１】
盤面の外縁部に一周を１２分割および２４分割のいずれかに区切る主目盛と当該主目盛によって区切られた１時間を１５分間隔に区切る補助目盛とが設けられた第１の文字盤と、
前記第１の文字盤の中心部に回転軸を有し、時刻を各々指示する複数本の時針と、
一周が１時間に対応させられると共に、当該一周を５分間隔に区切る目盛が設けられた第２の文字盤と、
前記第２の文字盤の中心部に回転軸を有し、前記複数本の時針のうちのいずれかが指示する時刻の分単位を指示する分針とを有し、
前記第１文字盤には、各時刻における３０分を示す位置の前記補助目盛に対応させて３０の文字が付されていることを特徴とする時計。
【請求項２】
前記第２の文字盤は、前記第１の文字盤内において偏心して配設されていることを特徴とする請求項１記載の時計。
【請求項３】
盤面の外縁部に一周を１２分割および２４分割のいずれかに区切る主目盛と当該主目盛によって区切られた１時間を１５分間隔に区切る補助目盛とが設けられた第１の文字盤と、
一周が１時間に対応させられると共に、当該一周を５分間隔に区切る目盛が設けられた第２の文字盤とを併有し、
前記第１文字盤には、各時刻における３０分を示す位置の前記補助目盛に対応させて３０の文字が付されていることを特徴とする時計用文字盤。
【請求項４】
前記第２の文字盤は、前記第１の文字盤内において偏心して配設されていることを特徴とする請求項３記載の時計用文字盤。
【手続補正２】
【補正対象書類名】明細書
【補正対象項目名】０００６
【補正方法】変更
【補正の内容】
【０００６】
上記課題を解決するために本発明者は鋭意研究を行った結果、以下の構成に想到した。
具体的には、請求項１記載の時計は、盤面の外縁部に一周を１２分割および２４分割のいずれかに区切る主目盛と当該主目盛によって区切られた１時間を１５分間隔に区切る補助目盛とが設けられた第１の文字盤と、前記第１の文字盤の中心部に回転軸を有し、時刻を各々指示する複数本の時針と、一周が１時間に対応させられると共に、当該一周を５分間隔に区切る目盛が設けられた第２の文字盤と、前記第２の文字盤の中心部に回転軸を有し、前記複数本の時針のうちのいずれかが指示する時刻の分単位を指示する分針とを有し、前記第１文字盤には、各時刻における３０分を示す位置の前記補助目盛に対応させて３０の文字が付されていることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】変更
【補正の内容】
【００１０】
請求項３記載の時計用文字盤は、盤面の外縁部に一周を１２分割および２４分割のいずれかに区切る主目盛と当該主目盛によって区切られた１時間を１５分間隔に区切る補助目盛とが設けられた第１の文字盤と、一周が１時間に対応させられると共に、当該一周を５分間隔に区切る目盛が設けられた第２の文字盤とを併有し、前記第１文字盤には、各時刻における３０分を示す位置の前記補助目盛に対応させて３０の文字が付されていることを特徴とする。
【手続補正６】
【補正対象書類名】明細書
【補正対象項目名】００１１
【補正方法】変更
【補正の内容】
【００１１】
請求項４記載の時計用文字盤は、請求項３記載の時計用文字盤において、前記第２の文字盤は、前記第１の文字盤内において偏心して配設されていることを特徴とする。
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】変更
【補正の内容】
【００１７】
また、請求項３記載の時計用文字盤によれば、盤面の外縁部に主目盛および補助目盛が設けられ、時針により大まかな時刻を表示することが可能な第１の文字盤と、１時間を５分間隔に区切る目盛が設けられ分針により時刻を分単位で表示することが可能な第２の文字盤とを併有することにより、時刻を各々指示可能な複数本の時針を第１の文字盤に配設することで、第１の文字盤を見るだけで第１の地点と第１の地点と時差がある他の地点におけるおおよその時刻を読み取ることができ、第２の文字盤に分針を配設することで、第２の文字盤に視線を動かせば時刻を分単位で正確に読み取ることができる。
【手続補正１０】
【補正対象書類名】明細書
【補正対象項目名】００１８
【補正方法】変更
【補正の内容】
【００１８】
さらに、請求項４記載の時計用文字盤によれば、第２の文字盤を、第１の文字盤内において偏心して配設したことにより、コンパクトな文字盤にすることができると共に、第２の文字盤に配設されている分針が第１の文字盤に配設されている各時針の読み取りの妨げとならないため、より簡単に時刻を読み取りすることができる。
【手続補正１１】
【補正対象書類名】明細書
【補正対象項目名】００２６
【補正方法】変更
【補正の内容】
【００２６】
また、時刻のうち分の単位を示す第２の文字盤３０も第１の文字盤２０の内部に設けているので、時計１０内でわずかに視線を動かせば時刻を分単位で正確に読み取ることも容易である。具体的には、分針６０が第１の時針５２の動作と同期させられている本例の時計１０によれば、図１に示す例では、分針６０が「４５分」を指示していると正確に読み取ることができ、図２に示す例では、分針６０が「４８分」を指示していると正確に読み取ることができる。